(57)【要約】【課題】蓋体に頭冠を装着しやすく、且つ蓋体の開閉の繰り返しにより蓋体に装着した頭冠が外れ難い構造を提供する。【解決手段】軸筒の後端部に一体に形成又は軸筒に付設したクリップに形成したヒンジ部に、蓋体の一端部に設けた係合部を係合し、前記蓋体を前記軸筒に対し回動自在に配設し、且つ前記蓋体の嵌合部を、前記軸筒の後端部に形成した被嵌合部に、着脱自在に嵌合して、前記軸筒の後端を露出及び閉鎖可能とするとともに、前記蓋体に有底状の頭冠を装着した筆記具であって、前記頭冠の側壁に、該頭冠の内外を連通する挿通穴を設け、前記蓋体に形成した、前記蓋体の軸線に対して略垂直方向に延びる挿通部を、前記頭冠の挿通穴に挿通して装着したことを特徴とする。【選択図】図５
2012240408.tif 000002
【特許請求の範囲】
【請求項１】
軸筒の後端部に一体に形成又は軸筒に付設したクリップに形成したヒンジ部に、蓋体の一端部に設けた係合部を係合し、前記蓋体を前記軸筒に対し回動自在に配設し、且つ前記蓋体の嵌合部を、前記軸筒の後端部に形成した被嵌合部に、着脱自在に嵌合して、前記軸筒の後端を露出及び閉鎖可能とするとともに、前記蓋体に有底状の頭冠を装着した筆記具であって、前記頭冠の側壁に、該頭冠の内外を連通する挿通穴を設け、前記蓋体に形成した、前記蓋体の軸線に対して略垂直方向に延びる挿通部を、前記頭冠の挿通穴に挿通して装着したことを特徴とする筆記具。
【請求項２】
前記蓋体の挿通部の先端部が、前記頭冠の他方の挿通穴から外方に突出することを特徴とする請求項１に記載の筆記具。
【請求項３】
前記頭冠が、前記挿通穴を設けた側壁と頭冠の軸線に対して対峙する他方の側壁に、該頭冠の内外を連通する第２挿通穴を設け、前記蓋体に設けた第２挿通部を、前記第２挿通穴に挿通して装着してあることを特徴とする請求項１または２に記載の筆記具。
【請求項４】
前記頭冠が、透明又は半透明の樹脂製からなり、前記頭冠の底壁の内面を、複数の面からなる多面体としたことを特徴とする請求項１ないし３の何れか１項に記載の筆記具。
【発明の詳細な説明】
【技術分野】
【０００１】
本発明は、軸筒の後端部に、軸筒の後端を露出及び閉鎖する蓋体を具備してなる筆記具に関する。
【背景技術】
【０００２】
軸筒の後端部に、軸筒の後端を露出及び閉鎖する蓋体を具備してなる筆記具において、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部に、回動自在に装着した構成が開示されている。
【先行技術文献】
【特許文献】
【０００３】
【特許文献１】特開２００７−３８６３５号公報
【発明の開示】
【発明が解決しようとする課題】
【０００４】
ところで、蓋体は、軸筒の外面又は軸筒に付設したクリップに形成した被係合部に、前記蓋体の一端部に設けた係合部を係合し、前記蓋体を前記軸筒に対し回動自在に配設するなど、形状が複雑となるため、蓋体に装飾性を持たすには、蓋体に頭冠を装着することが考えられ、蓋体に頭冠を装着するには、蓋体に設けた係合部に、頭冠の内壁に設けた被係合部を係合し、蓋体を覆うように頭冠を装着することが一般的であった。
【０００５】
しかし、蓋体に設けた係合部と頭冠の内壁に設けた被係合部を係合すると、繰り返しの蓋体の開閉によって、係合部が外れる方向である、軸線に沿った方向にも力が加わるために、蓋体と頭冠の係合力が低下する恐れがあるため、初期の係合力を高く設定する必要があり、その結果、蓋体と頭冠を装着し難くなるという問題があった。
【０００６】
本発明の目的は、蓋体に頭冠を装着しやすく、且つ蓋体の開閉の繰り返しにより蓋体に装着した頭冠が外れ難い構造を提供するものである。
【課題を解決するための手段】
【０００７】
上記目的を達成するために、本発明は、軸筒の後端部に一体に形成又は軸筒に付設したクリップに形成したヒンジ部に、蓋体の一端部に設けた係合部を係合し、前記蓋体を前記軸筒に対し回動自在に配設し、且つ前記蓋体の嵌合部を、前記軸筒の後端部に形成した被嵌合部に、着脱自在に嵌合して、前記軸筒の後端を露出及び閉鎖可能とするとともに、前記蓋体に有底状の頭冠を装着した筆記具であって、前記頭冠の側壁に、該頭冠の内外を連通する挿通穴を設け、前記蓋体に形成した、前記蓋体の軸線に対して略垂直方向に延びる挿通部を、前記頭冠の挿通穴に挿通して装着したことを特徴とする。
【０００８】
また、前記頭冠が、前記挿通穴を設けた側壁と頭冠の軸線に対して対峙する他方の側壁に、該頭冠の内外を連通する第２挿通穴を設け、前記蓋体に設けた第２挿通部を、前記第２挿通穴に挿通して装着してあることを特徴とする。
【０００９】
また、前記蓋体の挿通部の先端部が、前記頭冠の他方の挿通穴から外方に突出することを特徴とする。
【００１０】
また、前記頭冠が、透明又は半透明の樹脂製からなり、前記頭冠の底壁の内面が多面体であることを特徴とする。
【００１１】
本願発明の請求項１の構成によれば、前記頭冠の側壁に、該頭冠の内外を連通する挿通穴を設け、前記蓋体に形成した、前記蓋体の軸線に対して略垂直方向に延びる挿通部を、前記頭冠の挿通穴に挿通して装着することで、前記蓋体を繰り返し開閉して、開閉時に生じる力が蓋体に加わっても、挿通穴と挿通部によって、蓋体と頭冠との装着力の低下を抑制するため、蓋体と頭冠の装着力を高く、或いは固着していなくても、容易に外れ難くすることができる。
【００１２】
また、前記頭冠に形成した、前記蓋体の軸線に対して略垂直方向に延びる嵌合部を、前記蓋体の挿通穴を挿通して装着することで、頭冠を有底状としても、蓋体と頭冠との嵌合において、頭冠の底壁に生じる軸心に向かう力及び／又は径方向へ拡がる力が発生し難く、形状や材質の制約が少なくて済む。
【００１３】
本願発明の請求項２の構成によれば、前記蓋体の挿通部の先端部が、前記頭冠の挿通穴から外方に突出することで、該突出した部分が取手となり、蓋体の開閉動作が容易に行えることができる。
【００１４】
本願発明の請求項３の構成によれば、前記頭冠が、前記挿通穴を設けた側壁と頭冠の軸線に対して対峙する他方の側壁に、該頭冠の内外を連通する第２挿通穴を設け、前記蓋体に設けた第２挿通部を、前記第２挿通穴に挿通して装着することで、より安定して蓋体と頭冠を装着できるとともに、挿通部を第２挿通穴から挿通穴に挿通して装着することで、組立性を高めることができる。
【００１５】
本願発明の請求項３の構成によれば、前記頭冠が、透明又は半透明の樹脂製からなり、前記頭冠の底壁の内面を多面体とすることで、頭冠の底壁の内面に、蓋体との装着部がなく、蓋体を外観から見たとき、レンズ効果によって、視認性を高めることができる。
【００１６】
尚、本発明の蓋体及び頭冠には、ＰＰ樹脂、ＰＯＭ樹脂、ＰＣ樹脂、ＡＢＳ樹脂等の合成樹脂材料等を用いることができる。特に蓋体には、乗り越し嵌合性を鑑みて、ＰＯＭ樹脂やＰＰ樹脂等の比較的、低硬度の樹脂材料とすることが最も好ましい。また、頭冠は、ＡＢＳ樹脂やＰＣ樹脂等、蓋体よりも硬度の高い硬質の材料を用いることが最も好ましく、頭冠の底壁の内面を多面体とするには、レンズ効果の高いＰＣ樹脂を用いることが最も好ましい。
【発明の効果】
【００１７】
本発明は、蓋体に頭冠を装着しやすく、且つ蓋体の開閉の繰り返しにより蓋体に装着した頭冠が外れ難い構造を提供すことができた。
【図面の簡単な説明】
【００１８】
【図１】実施例１の筆記具のペン先部を突出した状態を示す外観図である。
【図２】実施例１におけるペン先部没入時の蓋体を開いた状態を示す図である。
【図３】実施例１の筆記具の筆記体及び摺動体を取り外した状態を示す図である。
【図４】図３における蓋体を開いた状態を示す図である。
【図５】図３における縦断面図である。
【図６】図５における、一部省略した要部拡大縦断面図である。
【図７】図１における筆記体を示す図である。
【図８】図６におけるＡ−Ａ断面図である。
【図９】図６におけるＢ−Ｂ断面図である。
【図１０】後軸の後端側から見た斜視図である。
【図１１】蓋体と頭冠の組立工程を示す図である。
【図１２】図１１（ａ）の下側から見た外観図である。
【図１３】図１１（ｄ）の下側から見た外観図である。
【発明を実施するための最良の形態】
【００１９】
次に図面を参照しながら、本発明の筆記具の実施形態を説明するが、本発明は以下の実施形態に限定されるものではない。
【００２０】
実施例１
図１〜図１３に示す実施例１の筆記具１は、前軸２と後軸３を螺合により取り付けられる軸筒本体内に複数本（４本）の筆記体が前後方向に移動可能に収容されている。筆記体１４の後部には、筆記体１４のインキ収容筒１５に収容した筆記具用インキと同色の摺動体９を配設してあり、筆記体１４は、コイルスプリング１２により後方に付勢してあり、他の筆記体について詳細は図示していないが、筆記体１４と同様にして、３本の筆記体を配設した従来から知られている出没機構のスライド式の多芯筆記具である。
【００２１】
筆記体１４は、ボールペンレフィルであり、インキ収容筒１５の先端部にボールが回転可能に抱持されたペン先部１６を装着し、インキ収容筒１５の内部には、黒色の剪断減粘性を有する水性ゲルインキ及びインキ追従体を直に収容してある。図示はしていないが、他の３本の筆記体も筆記体１４と同様に、インキ収容筒の先端部にボールペンチップからなるペン先部を装着し、筆記体１４とは色の異なる水性ゲルインキ及びインキ追従体を直に収容したボールペンレフィルである。
【００２２】
後軸３の後部には、前後方向に延びる細長状の摺動溝３ｂ、３ｃ、３ｄ、３ｅが４本、形成してあり、互いに、９０度間隔に形成される。また、摺動溝３ｂ、３ｃ、３ｄ、３ｅは、後方が開口していて、後軸３の後端３ａで連通する開口部３ｂａ、３ｃａ、３ｄａ、３ｅａを有している。
【００２３】
後軸３内には、略円筒状のスプリング支持部８を固着している。スプリング支持部８は、筆記体１４等、４本の筆記体が挿通される内孔が軸方向に貫設し、スプリング支持部８と、各々の摺動体９、１０間には、コイルスプリング１２、１３が配置し、筆記体及び摺動体を後方に付勢してある。尚、図示はしていないが、他の２つの摺動体も摺動体９、１０と同様に、スプリング支持部８と、各々の摺動体間には、コイルスプリングが配置し、筆記体及び摺動体を後方に付勢してある。
【００２４】
後軸３の後部、且つ後軸３の摺動溝３ａ、３ｂ間には、長手方向に沿って延びる凹状の装着溝３ｆを形成してあり、この装着溝３ｆにクリップ７を付設してある。具体的には、装着溝３ｆも摺動溝３ａ等と同様に、後軸３の後端３ａに開口部３ｆａを有していて、開口部３ｆａと装着溝３ｆとが連通している。この装着溝３ｆに、クリップ７の後端部に形成した装着部７ｂを挿入し、後軸３の後方側から前軸２側に押し込むことで、クリップ７の装着部７ｂに設けた突起（図示せず）が、装着溝３ｆに設けた突起３ｆｂを乗り越える落とし込み嵌合によって、後軸３にクリップ７を固設してある。
【００２５】
また、クリップ７の後部にはヒンジ部７ａを形成してあり、このヒンジ部７ａに、ポリプロピレンからなる蓋体５の一端部に設けた、クリップ７を正面から見て左右に延出する係合部５ａを係合して、蓋体５を回動自在に係合してあり、蓋体５を回動することで、後軸３の後端３ａを露出することができる。
【００２６】
また、蓋体５には、蓋体５よりも硬く、変形し難い、ポリカーボネートからなる頭冠６を装着してある。具体的には、頭冠６の一方の側壁に内外を連通する挿通穴６ａと、一方の側壁と頭冠６ａの軸線Ｊ３に対して対峙する他方の側壁に、内外を連通する第２挿通穴６ｂを設けてあり、蓋体５に形成した、蓋体５の軸線Ｊ２に対して略垂直方向に延びる挿通部５ｂを、第２挿通穴６ｂから挿通穴６ａに挿通するとともに、頭冠６に設けた嵌合突部６ｃと、蓋体５に設けた嵌合突部５ｃが乗り越し嵌合するまで挿入し、頭冠６の挿通穴６ａに頭冠５の挿通部５ｂ及び頭冠６の第２挿通穴６ｂに蓋体５の第２挿通部５ｄが位置した状態で、頭冠６が蓋体５を覆うように装着してある。また、蓋体５の後軸３からの開閉動作を容易にするため、挿通部５ｂの先端部は、挿通穴６ａから外方に向かって突出して取手としてある。
【００２７】
また、第２挿通穴６ｃにはスリット６ｄを形成してあり、頭冠６に設けた嵌合突部６ｃと、蓋体５に設けた嵌合突部５ｃが乗り越し嵌合し易くしてある。また、第２挿通穴６ｂは挿通穴６ａよりも開口面積を大きくしてあり、第２挿通穴６ｂに蓋体５の挿通部５ｂを挿入し易く、蓋体５と頭冠６の位置出しした状態で、挿通部５ｂを挿通穴６ａに挿通することができるため、組立性を向上することができる。
【００２８】
頭冠６は有底状の着色半透明としてあり、頭冠６の底壁の内面をダイヤカットした複数の面６ｅからなる多面体としてある。
【００２９】
また、蓋体５の軸部の中央には、嵌合凸部５ｅを形成してあり、蓋体５が後軸３の後端３ａを閉鎖する際、後軸３の後端部に形成した、後方に向かって突出した軸部３ｇの嵌合凸部３ｈに、嵌合凸部５ｅを乗り越し嵌合することで、蓋体５及び頭冠６を後軸３に対し、開閉自在に嵌合してある。
【００３０】
筆記体１４のボールペンチップからなるペン先部１６を前軸２の先端開口部２ａから突出させるには、摺動体９の操作部９ａを、摺動溝３ｂに沿って、前軸２の先端開口部２ａ方向へスライドすることにより、摺動体９に形成した係合突起９ｂが後軸３内に形成した係止部（図示せず）に係止して、筆記体１４のペン先部１６を前軸の先端開口部２ａから選択して突出を維持することができる。また、摺動体９には、解除突起９ｃを設けてある。
【００３１】
筆記体１４のペン先部１６が前軸の先端開口部２ａから突出を維持した状態で、他の摺動体１０の操作部１０ａを前軸２の先端開口部２ａ方向にスライドすることで、摺動体１０の解除突起が、スリーブ１１を介して摺動体９の係止を解除し、筆記体１４のペン先部１６を前軸２内に没入させることができる。
【００３２】
筆記体１４を交換するには、蓋体５が後軸３の後端３ａを閉鎖した状態から、挿通部５ｂの先端部分の取手を後方に押圧（図１の矢印Ｆ方向）し、蓋体５の嵌合凸部５ｅと後軸３の軸部３ｇの嵌合凸部３ｈとの嵌合を解除し、蓋体５を回動（図３の矢印Ｇ方向）させ、後軸３の後端３ａを露出させる。この時、挿通部５ｂを後方に押圧（図１の矢印Ｆ方向）しても、挿通穴６ａによって、頭冠６と蓋体５の嵌合力が低下することはない。
【００３３】
蓋体５を回動し、後軸３の後端３ａが露出すると、摺動溝３ｂ、３ｃ、３ｄ、３ｅから各々の摺動体９、１０（その他図示せず）が、コイルスプリング１２、１３（その他図示せず）の後方付勢により後方外部に突出される。この状態から摺動体９を取り出すことにより、その摺動体９と互いに連結状態にある筆記体１４を後軸３から取り出し、その後、互いに連結状態にある新たな筆記体（図示せず）と新たな摺動体とを後端が開口した摺動溝３ｂから後軸３内に挿入する。そして、蓋体５を前方に回動させ、その後、蓋体５の嵌合凸部５ｅと後軸３の嵌合凸部３ｈと嵌合して、後軸３の後端３ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００３４】
本実施例では、便宜上、蓋体を回動し、後軸の後端が露出して、筆記体及び摺動体を交換可能としてあるが、蓋体を回動し、後軸の後端を露出して、鉛芯を充填するなど、蓋体の回動によって後軸の後端が露出する構造であれば特に限定されるものでなく、蓋体を紛失することなく筆記体の交換作業や鉛芯の充填をすることができる。
【００３５】
また、挿通穴の形成場所は特に限定されないが、前記した挿通部の取手が、蓋体の係合部とクリップに設けたヒンジ部との係合部に対し、軸筒本体の軸線に対して対称側となる位置に形成することが、蓋体を開閉し易く最も好ましい。
【００３６】
さらに、頭冠の底壁の形状は、特に限定されないが、透明又は半透明として底壁の内面をダイヤカット等の多面体として装飾性を高めることが好ましく、頭冠の底壁の外面も内面の多面体と相似形、かつ大きさの異なる多面体として、装飾性をさらに高めることが好ましい。
【００３７】
また、蓋体の挿通穴と頭冠の挿通部を挿通して装着する方法は、凹凸嵌合、乗り越し嵌合や圧入嵌合など、特に限定されるものではないが、組立性及び外れにくさを考慮すると、乗り越し嵌合とすることが好ましい。また、挿通部と挿通穴を直接、嵌合してもよいし、挿通部が挿通穴に挿通してあれば、他の部分で嵌合してあってもよい。さらに、挿通穴の断面形状は、円形、四角形等、特に限定されるものではないが、少なくとも挿通部の先端部の断面形状を、他方の挿通穴と略同形とすることで、装着後にがたつく等の不具合が生じにくいので好ましい。
【産業上の利用可能性】
【００３８】
本発明の筆記具は、多芯筆記具やインキの種類に限定されることなく、筆記具として広く実施可能である。
【符号の説明】
【００３９】
１  筆記具
２  前軸
２ａ  先端開口部
３  後軸
３ａ  後端
３ｂ、３ｃ、３ｄ、３ｅ  摺動溝
３ｂａ、３ｃａ、３ｄａ、３ｅａ  開口部
３ｆ  装着溝
３ｆａ  開口部
３ｆｂ  突起
３ｈ  嵌合凸部
５  蓋体
５ａ  嵌合部
５ｂ  突部
５ｃ  嵌合突部
５ｄ  第２挿通部
６  頭冠
６ａ  挿通穴
６ｂ  第２挿通穴
６ｃ  内壁面
６ｄ  スリット
６ｅ底壁の内面
７  クリップ
７ａ  ヒンジ部
７ｂ  装着部
８  スプリング支持部
９、１０  摺動体
９ａ、１０ａ  操作部
１１  スリーブ
１２、１３  コイルスプリング
１４  筆記体
１５  インキ収容筒
１６  ペン先部
【図１】
2012240408.tif 000003
【図２】
2012240408.tif 000004
【図３】
2012240408.tif 000005
【図４】
2012240408.tif 000006
【図５】
2012240408.tif 000007
【図６】
2012240408.tif 000008
【図７】
2012240408.tif 000009
【図８】
2012240408.tif 000010
【図９】
2012240408.tif 000011
【図１０】
2012240408.tif 000012
【図１１】
2012240408.tif 000013
【図１２】
2012240408.tif 000014
【図１３】
2012240408.tif 000015